(57)【特許請求の範囲】
【請求項１】
携帯無線端末装置が備えている機能を実行するためのプログラム及びユーザーの個人情報等のデータを格納するメモリと、
該メモリに格納されているプログラムおよびデータを、バスを介して読み出して前記機能を実行するとともに前記メモリに対するデータの書き込み処理を行うＣＰＵと、
前記メモリから導出されている前記バスおよび前記メモリに対する電源供給線の接続先を前記携帯無線端末装置から保守用端末装置のバスおよび電源供給線に切り替えて前記保守用端末装置による前記メモリの動作を可能にする接続先切り替え部と、を備え、
前記接続先切り替え部は、２つの板バネが互いにバネ圧で接触することにより通常時は前記メモリから導出されている前記バスおよび前記メモリに対する電源供給線の接続先を前記携帯無線端末装置側に設定する常閉接点として機能するとともに、前記２つの板バネの間に、片面に前記メモリ側の各端子と接続されている前記板バネと接触するパターン端子を有する板状の絶縁物からなる保守用ケーブルの接続端子が挿入されたとき、前記メモリのバスおよび電源供給線を前記携帯無線端末装置側から切り離して前記保守用端末側へ導出可能に構成された接続先切り替えコネクタによって構成されていることを特徴とする携帯無線端末装置。
【請求項２】
前記携帯端末装置のケースの一端に、前記接続先切り替え部から前記保守用端末側へ導出される前記メモリのバスおよび電源供給線と前記保守用端末側からのバスおよび電源供給線とを接続する外部接続コネクタを有していることを特徴とする請求項１に記載の携帯無線端末装置。
【請求項３】
携帯無線端末装置が備えている機能を実行するためのプログラム及びユーザーの個人情報等のデータを格納するメモリと、
該メモリに格納されているプログラムおよびデータを、バスを介して読み出して前記機能を実行するとともに前記メモリに対するデータの書き込み処理を行うＣＰＵと、
前記メモリから導出されている前記バスおよび前記メモリに対する電源供給線の接続先を前記携帯無線端末装置から保守用端末装置のバスおよび電源供給線に切り替えて前記保守用端末装置による前記メモリの動作を可能にする接続先切り替え部と、を備え、
前記メモリは、その内部に収納されたメモリチップと、その下面に配列されてプリント基板上に配線された前記バスおよび電源供給線と各々接続される半田ボールと、その上面に配列されてその上に保守端末装置側のバスおよび電源供給線と各々接続されるピン端子を有するフィクスチャーが搭載されたときに、該フィクスチャーのピン端子と各々接続される外部端子を備えたメモリＩＣパッケージとして構成され、前記接続先切り替え部は、前記メモリＩＣパッケージ内に設けられ、通常時は前記メモリチップのバスおよび電源供給線の接続先を前記半田ボール側に設定し、前記フィクスチャーが搭載されて前記保守端末装置側から供給電圧が印加されたことを検出して、前記メモリチップのバスおよび電源供給線の接続先を、前記メモリＩＣパッケージの上面に配列された外部端子側に設定する制御を行う機能を有していることを特徴とする携帯無線端末装置。
【発明の詳細な説明】
【技術分野】
【０００１】
本発明は、フラッシュメモリ等の書き換え可能な内部メモリにアドレス帳等の個人データを格納することが可能な携帯電話機等の携帯無線端末装置に関する。
【背景技術】
【０００２】
携帯電話機は、一般的に図６に示すような構成ブロックを備えており、アドレスバス、データバス、制御バスからなるバス１０によってそれぞれ接続される無線通信部１１、ＣＰＵ１２、ＲＯＭ／ＲＡＭ１３、ＥＥＰＲＯＭ１４、ユーザインタフェース部１５と、各機能ブロックに対してバッテリー電源から生成した動作電圧を、電源供給線１７を介して供給する電源回路１６等から構成される。無線通信部１１は、制御信号および音声データ等を無線回線およびアンテナを介して無線基地局と送受信し変復調する機能を有しており、ＣＰＵ１２は携帯電話機１の各種動作を実行するための制御を行う中央演算処理装置としての機能を有している。
【０００３】
ＲＯＭ／ＲＡＭ１３は、携帯電話機１の各種動作を制御するためのソフトウェアが格納される部分、およびそのソフトウェアの実行時に必要なワークメモリが確保される部分であり、また、ＥＥＰＲＯＭ１４は、ユーザーがユーザインタフェース部１５から入力した電話帳、電子メール、スケジュール、設定情報などの個人データ等を保存する部分であり電源断の際にも消去されることはない。ユーザインタフェース部１５は、携帯電話機１が備えている液晶ディスプレイ、キーボタン、スピーカー、マイク等とＣＰＵ１２間の情報仲介を行う部分である。
【０００４】
このような携帯電話機等の携帯機器において、外部インターフェースを用いてプログラムの書き換えを行う手法は一般的に行われており、例えば特許文献１では、携帯機器に外部コネクタを設け、製造段階におけるセットの組み立て終了時に、この外部コネクタにメモリ書き込み用の外部機器を接続することによって、内部ＣＰＵの停止状態で内部メモリに必要なプログラムを書き込み、また、使用状態において、外部コネクタにパソコン等の外部機器を接続し、その信号を内部ＣＰＵで認識処理して、内部メモリに対する情報の書き込み又は読み出しを行うことができるようになっている。
【０００５】
また、携帯機器の故障時、又は内部メモリにおけるプログラムやデータの書き換えを行う場合には、外部コネクタに保守用治具を接続することによって、保守用治具からの入出力信号を、外部コネクタから切り替え回路を介してデバッグ回路に接続するとともに、内部ＣＰＵの動作を停止することによって、デバッグ回路により内部メモリにおけるプログラムやデータの書き換え、あるいは読み出しを行い、又は、制御部における故障解析を行っている。
【０００６】
【特許文献１】特開２００２−０５５９６３号公報
【特許文献２】特開２００４−２８９５４１号公報
【発明の開示】
【発明が解決しようとする課題】
【０００７】
携帯電話機等の携帯無線端末装置の内部メモリには、ダウンロードしたプログラムやゲーム、着信メロディ、あるいは相手の名前と電話番号等を記録したアドレス帳、壁紙などの個人情報が記憶されているが、この携帯無線端末装置が故障した場合、それが原因でこれらの情報が利用不可能な状態になってしまうことがある。
【０００８】
そのため例えば特許文献２等では、利用者が携帯端末装置の故障などに備えて、相手の名前と電話番号等を記録したアドレス帳等の個人データを自身のパソコンなどに定期的にバックアップをとる技術が提案されている。しかし、携帯型端末装置のアドレス帳のバックアップを行うことは、携帯型端末装置のユーザーにとって面倒であり、また、バックアップをしなかったデータについては、携帯端末装置が故障した場合に内蔵メモリから取り出せなくなるという問題がある。
【０００９】
また上記特許文献１に記載の技術の場合、携帯無線端末装置のメモリ内の個人データを端末装置外へ読み出すことは可能であるが、その為には、その携帯無線端末装置に電源が供給されて、少なくとも赤外線通信機能や外部インターフェース機能等のメモリ転送に必要な機能が正常に動作する必要がある。しかし内部メモリの個人データの取り出しが必要になる実際の故障修理の場面では、端末装置に電源が入らなかったり、電源が入っても個人データ転送に必要な機能が故障していたりしてメモリＩＣに不具合は無く内部に個人データが残っていてもその個人データを取り出すことが出来ない場合がある。
【００１０】
本発明の目的は、上記問題点に鑑み、故障により電源が入らないあるいは装置として機能しないような故障が発生した携帯無線端末装置から、該装置の内部メモリに格納されている個人データ等を取り出すことが可能な手段を提供することにある。
【課題を解決するための手段】
【００１１】
本発明は、携帯無線端末が備えている機能を実行するためのプログラム及びユーザーの個人情報等のデータを格納するメモリと、該メモリに格納されているプログラムおよびデータを、バスを介して読み出して前記機能を実行するとともに前記メモリに対するデータの書き込み処理を行うＣＰＵを備えている携帯無線端末装置において、前記メモリから導出されている前記バスおよび前記メモリに対する電源供給線の接続先を当該携帯無線端末装置から保守用端末装置のバスおよび電源供給線に切り替えて前記保守用端末装置による前記メモリの動作を可能にする接続先切り替え部を備えていることを特徴とする。
【００１２】
前記接続先切り替え部は、前記保守用端末装置側から前記電源供給線を介して供給される電源電圧を検出して、前記メモリから導出されている前記バスおよび前記メモリに対する電源供給線の接続先を前記携帯無線端末装置側から前記保守用端末装置側へ切り替える制御を行う切り替え制御部と、該切り替え制御部により制御されて、前記メモリから導出されている前記バスおよび前記メモリに対する電源供給線の接続先を前記携帯無線端末装置側から前記保守用端末装置側へ切り替える切り替えスイッチからなる経路切り替え回路によって構成することができる。
【００１３】
前記接続先切り替え部はまた、２つの板バネが互いにバネ圧で接触することにより通常時は前記メモリから導出されている前記バスおよび前記メモリに対する電源供給線の接続先を前記携帯無線端末装置側に設定する常閉接点として機能するとともに、前記２つの板バネの間に、片面に前記メモリ側の各端子と接続されている前記板バネと接触するパターン端子を有する板状の絶縁物からなる保守用ケーブルの接続端子が挿入されたとき、前記メモリのバスおよび電源供給線を前記携帯無線端末装置側から切り離して前記保守用端末側へ導出可能に構成された接続先切り替えコネクタによって構成することができる。
【００１４】
また、前記メモリは、その内部に収納されたメモリチップと、その下面に配列されてプリント基板上に配線された前記バスおよび電源供給線と各々接続される半田ボールと、その上面に配列されてその上に保守端末装置側のバスおよび電源供給線と各々接続されるピン端子を有するフィクスチャーが搭載されたときに、該フィクスチャーのピン端子と各々接続される外部端子を備えたメモリＩＣパッケージとして構成し、前記接続先切り替え部は、このメモリＩＣパッケージ内に設けられ、通常時は前記メモリチップのバスおよび電源供給線の接続先を前記半田ボール側に設定し、前記フィクスチャーが搭載されて前記保守端末装置側から供給電圧が印加されたとき、前記メモリチップのバスおよび電源供給線の接続先を、前記メモリＩＣパッケージの上面に配列された外部端子側に設定する制御を行う構成とすることができる。
【発明の効果】
【００１５】
本発明によれば、携帯無線端末装置の故障によりに電源が入らなくても、メモリＩＣ自体に不具合が無ければ電話帳データや画像データ等の個人データを容易に取り出すことが可能になる。
【発明を実施するための最良の形態】
【００１６】
図１は、本発明の実施形態を示す携帯無線端末装置の概略ブロック図であり、主に本発明に関わる部分のみの構成を示している。図１において、携帯無線端末装置１のメモリ４０には、図６におけるＲＯＭ／ＲＡＭ１３、ＥＥＰＲＯＭ１４が含まれており、内部回路２０には、図６における無線通信部１１、ＣＰＵ１２、ユーザインタフェース部１５、電源回路１６等が含まれている。
【００１７】
本実施形態においては、メモリ４０に接続されているバス１０および電源供給線１７をこの携帯無線端末装置１の外部に導出する外部接続コネクタ５０と、メモリ４０に接続されているバス１０および電源供給線１７を、内部回路２０側と外部接続コネクタ５０側に切り替える接続先切り替え部３０を備えており、通常は、メモリ４０に接続されているバス１０-１および電源供給線１７-１は内部回路２０側のバス１０-２および電源供給線１７-２と接続されているが、この外部接続コネクタ５０を介して保守用端末装置のバスおよび電源供給線が接続されると、接続先切り替え部３０によりメモリ４０に接続されているバス１０-１および電源供給線１７-１が外部接続コネクタ５０側のバス１０-３および電源供給線１７-３に切り替え接続されるようになっている。
【００１８】
図２は、本実施形態における接続先切り替え部３０の一例を示す図である。メモリ４０と内部回路２０の間には、アドレスバス（Ａバス）、データバス（Ｄバス）、およびコントロールバス（Ｃバス）からなるバス１０-１、１０-２と、電源供給線１７-１、１７-２が配線されており、この配線の途中に、これらのバス１０および電源供給線１７を外部接続コネクタ５０側のバス１０-３および電源供給線１７-３へ切り替える経路切り替え回路３１および切り替え制御部３２からなる接続先切り替え部３０を配置する。
【００１９】
経路切り替え回路３１は、切り替え制御部３２の制御により、メモリ４０側のバス１０-１および電源供給線１７-１と接続された各端子を、内部回路２０側のバス１０-２および電源供給線１７-２と接続された各端子、または外部接続コネクタ５０側のバス１０-３および電源供給線１７-３と接続された各端子のいずれか一方に接続する切り替えスイッチからなり、ＩＣからなる半導体スイッチあるいは電磁的スイッチ等適宜の構成を採用することができる。なお図２では、アドレスバス、データバス、およびコントロールバスを、それぞれ１本の信号線で示しているが、実際にはこれらのバスはそれぞれ複数の信号線からなっており、切り替えスイッチもこれらの信号線の数だけ備えられている。
【００２０】
また、切り替え制御部３２は外部接続コネクタ５０側の電源供給線１７-３と接続されており、外部接続コネクタ５０を介して外部電源が供給されると、スイッチ回路に対する電源を電源供給線１７-３側からの供給に切り替えるとともに、内部回路２０側のバス１０-２および電源供給線１７-２と接続されていたメモリ４０側のバス１０-１および電源供給線１７-１を外部接続コネクタ５０側のバス１０-３および電源供給線１７-３と接続するように制御する。
【００２１】
図３は、携帯無線端末装置１の外部接続コネクタ５０に保守用端末装置２のバスおよび電源供給線を接続して携帯無線端末装置１のメモリ４０の内容を読み出す場合の概略構成を示している。保守用端末装置２としては、メモリ４０の内容を取り出したい携帯無線端末装置１と同じ構成の端末装置を使用することが可能である。その場合、保守用端末装置２側の内部回路とメモリ間のバスおよび電源供給線については携帯無線端末装置１側の外部接続コネクタ５０を介してバス１０-３および電源供給線１７-３と接続されるように構成する。
【００２２】
そしてそれぞれの外部接続コネクタ５０間を保守用ケーブルで接続することにより、保守用端末装置２側の内部回路のバスおよび電源供給線が携帯無線端末装置１のメモリ４０のバス１０-１および電源供給線１７-１と接続され、保守用端末装置２を操作することで携帯無線端末装置１側のメモリ４０内容を確認することができる。また、必要に応じてメモリ４０に格納されている個人データを保守用端末装置２に装着したメモリカード等に落とし込むことにより、保守用端末装置２を介して個人データ等を取り出すことができる。
【００２３】
このように本実施形態では、接続先切り替え部３０による切り替え動作は、外部接続コネクタ５０を介して供給される外部電源により制御されるので、故障して電源の入らない携帯無線端末装置を修理する事無しにそのままの状態で、メモリ４０を別の端末装置のメモリとして接続動作させることが可能となり、故障して電源の入らない、携帯無線端末装置内のメモリに格納された個人データを容易に取り出すことができる。
【００２４】
図４は、本実施形態における接続先切り替え部３０の別の構成例を示す図である。本実施例の接続先切り替え部３０は、保守用ケーブルの端部を、接続先切り替えコネクタに差し込むことによりメモリの接続先を切り替える機構を有する構成としたことを特徴としている。
【００２５】
図４において、接続先切り替えコネクタとして構成されている接続先切り替え部３０は、例えばプリント基板上に配置されており、メモリ４０と内部回路２０の間に配線されたバス１０および電源供給線１７の数と等しい数のコネクタ端子を有し、通常時は左右の板バネ端子３０-１と３０-２がバネ圧で互いに接触することによりメモリ４０側のバス１０-１および電源供給線１７-１を内部回路２０側のバス１０-２および電源供給線１７-２と接続する常閉接点として機能している。
【００２６】
携帯無線端末装置１が故障してメモリ４０に保存されている個人データ等の読み取りができない場合には、携帯無線端末装置１のケースを開き、プリント基板８０上に配置されているこの接続先切り替えコネクタの板バネ端子３０-１と３０-２の間に、片面にメモリ４０側の各端子と各々接触するためのパターンが形成された板状の絶縁物を備えた保守用ケーブルの端子３０-３を板バネ端子３０-１と３０-２のバスおよび電源供給線間に矢印方向に挿入することで、メモリ４０のバスおよび電源供給線の各端子は内部回路２０側の各端子から切り離される。
【００２７】
一方、この保守用ケーブルの他方に設けられた同様構成の端子３０-４を、保守用端末装置２のプリント基板上に同様に設けられた接続先切り替えコネクタに差し込むことにより、保守用端末２側の内部回路とメモリ間のバスおよび電源供給線の接続が切り離され、保守用端末２側の内部回路のバスおよび電源供給線が携帯無線端末装置１のメモリ４０側のバス１０-１および電源供給線１７-１と接続される。その結果、保守用端末装置２を操作することで携帯無線端末装置１側のメモリ４０により保守用端末装置２を動作させることが可能となり、このメモリ４０の内容を確認することができる。また、メモリ４０の内容を必要に応じて保守用端末装置２に装着したメモリカード等に落とし込むことにより、個人データ等を保存することができる。
【００２８】
なお上記実施例では、保守用端末装置２から携帯無線端末装置１側のメモリ４０内容を確認する場合、携帯無線端末装置１のケースを開けて保守用ケーブルの端子３０-３を挿入する構成としているが、図１に示すような外部接続コネクタ５０を設け、接続先切り替えコネクタ３０に挿入される端子を持つ保守用ケーブルの他方の端子３０-４が外部接続コネクタ５０と接続された状態の配線をプリント基板上に形成し、携帯無線端末装置１のケース外部からの操作によりケースを開けないで保守用ケーブル端子３０-３を接続先切り替えコネクタへ挿入できるように構成し、外部接続コネクタ５０と保守用端末装置２の間は別の保守用ケーブルで接続するようにしてもよい。
【００２９】
図５は、本実施形態における接続先切り替え部３０の更に別の構成例を示す図であり、本発明のメモリ接続先切り替え機能をメモリＩＣパッケージ内部に設けたことを特徴としている。
【００３０】
図５において、メモリＩＣパッケージ６０は、その下面に配列されてプリント基板８０上に配線された内部回路２０のバス１０-２および電源供給線１７-２と各々接続される半田ボール６１と、その上面に配列されてその上に搭載されたフィクスチャー７０の各ピン端子７１を介して保守端末装置２側の内部回路２０のバスおよび電源供給線と各々接続される外部端子６２を有しており、またメモリＩＣパッケージ６０内部には、内部メモリとしてのメモリチップ６３と、メモリチップ６３の接続先をプリント基板８０側とフィクスチャー７０側に切り替える接続先切り替え部６４を備えている。
【００３１】
本実施例において、通常使用時にはフィクスチャー７０は搭載されておらず、メモリＩＣパッケージ６０内のメモリチップ６３のバスおよび電源供給線は、半田ボール６１（接続先Ａ）によりプリント基板８０上のバスおよび電源供給線を介して携帯無線端末装置１の内部回路２０と接続されており、このメモリＩＣパッケージ６０は携帯無線端末装置１のメモリ４０として機能する。
【００３２】
携帯無線端末装置１の故障等により、メモリチップ６３に格納されている個人情報等が読み出せない場合、携帯無線端末装置１のケースを開いてメモリＩＣパッケージ６０の上面に配列された外部端子６２（接続先Ｂ）とフィクスチャー７０の各ピン端子７１が互いに接触するようにフィクスチャー７０をメモリＩＣパッケージ６０の上面に搭載するとともに、フィクスチャー７０の他方の端部を保守用端末装置２のバスおよび電源接続線と接続することにより、接続先Ｂの一端子に保守用端末装置２からの電源を供給する。
【００３３】
接続先切り替え部６４は保守用端末装置２からの電源が供給されたことを検出して、メモリチップ６３のバスおよび電源供給線の接続先を接続先Ａから接続先Ｂに切り替える。その結果、保守用端末２側の内部回路のバスおよび電源供給線が携帯無線端末装置１のメモリ４０側のバス１０-１および電源供給線１７-１と接続され、保守用端末装置２を操作することで携帯無線端末装置１側のメモリ４０内容を確認することができる。また、メモリ４０内容を保守用端末装置２に装着したメモリカード等に落とし込むことにより、個人データ等を保存することができる。
【００３４】
以上のとおり、本発明によれば、携帯無線端末装置内に実装されたメモリＩＣの接続先を携帯無線端末装置の（内／外）へ、そのメモリＩＣが実装された携帯無線端末装置に電源が入る、入らないに関わらず切り替える事が出来る機能を有しているので、このメモリの接続先を切り替える機能（この機能は携帯無線端末側の電源を必要とせず、接続先切り替えコネクタの接続により物理的に働かせることができる）を動作させる事により、故障して電源の入らない携帯無線端末装置を修理する事無しにそのままの状態で別の端末装置のメモリとして接続させることができ、故障して電源の入らない携帯無線端末装置内のメモリに格納された個人データを容易に取り出すことができる。
【図面の簡単な説明】
【００３５】
【図１】本発明の実施形態を示す携帯無線端末装置の概略ブロック図である。
【図２】本実施形態における接続先切り替え部の一例を示す図である。
【図３】本実施形態における外部接続コネクタに保守用端末装置のバスおよび電源供給線を接続してメモリの内容を読み出す概略構成を示す図である。
【図４】本実施形態における接続先切り替え部の別の例を示す図である。
【図５】本実施形態における接続先切り替え部の別の例を示す図である。
【図６】携帯無線機の従来例を示す概略ブロック図である。
【符号の説明】
【００３６】
１  携帯無線端末装置
２  保守用端末装置
１０  バス
１１  無線通信部
１２  ＣＰＵ
１３  ＲＯＭ／ＲＡＭ
１４  ＥＥＰＲＯＭ
１５  ユーザインタフェース部
１６  電源回路
１７  電源供給線
２０  内部回路
３０  接続先切り替え部
３１  経路切り替え回路
３２  切り替え制御部
４０  メモリ
５０  外部接続コネクタ
６０  メモリＩＣパッケージ
６１  半田ボール
６２  外部端子
６３  メモリチップ
６４  接続先切り替え部
７０  フィクスチャー
７１  ピン端子
８０  プリント基板
【図１】
0004422084.tif 000002
【図２】
0004422084.tif 000003
【図３】
0004422084.tif 000004
【図４】
0004422084.tif 000005
【図５】
0004422084.tif 000006
【図６】
0004422084.tif 000007